Podtech/llm-jp-corpus-v4-ja_patent huggingface dataset:
(57)【要約】【課題】従来の２穴以上のシートでは、切り抜いたページに圧着する際に手間取ったり、シワをつけたりすることがある。また、シート側の綴じ穴のピッチ（穴間隔）が合致しているかどうかを考慮しなければならない。また、シートを剥離するたびに剥離紙が生じるという難点がある。  これらを解消するために、１つの綴じ穴ごとの糊付き透明シートを多数枚に積層した文具を提供する。【解決手段】１つの綴じ穴ごとのシートにしたことにより、シートの糊付け面積が小さくなることで、切り抜いたページに圧着することが簡易になる。また、１つ１つのシートを重ね束ねることで、多くの剥離紙が不要となった。【選択図】図１
2008168605.tif 000002
【特許請求の範囲】
【請求項１】
１つの綴じ穴ごとのシートにしたことを特徴とする。
【請求項２】
１つの綴じ穴ごとのシートにしたことによって、多数枚のシートを積層してコンパクトに束ねることができることを特徴とする。
【発明の詳細な説明】
【技術分野】
【０００１】本発明は、透明の糊付けシートを１つの綴じ穴ごとにファイル綴じができるよう工夫することによって、雑誌や書類等から切り抜いたページをバインダー等にファイリングするのに、穴あけで損傷することなく、簡単に整理できるようにしたものである。
【背景技術】
【０００２】従来は、２つ以上の綴じ穴のついたシートが利用されている。
この例として、特許文献１に開示されているものがある。
【特許文献１】特開２００４−５８６３８号広報
【発明の開示】
【発明が解決しようとする課題】
【０００３】しかし、２つ以上の綴じ穴のついたシートでは、シートの糊付け面積が広いため、切り抜いたページに圧着する際に手間取ったり、シワをつけたりすることがある。また、２つ以上のとじ具のピッチ（穴間隔）によっては、シート側の綴じ穴のピッチが合致しているかどうかを考慮しなければならない。
また、シートを剥離するたびに剥離紙が生じるという難点がある。
本発明は、これらの課題を解消するためになされたものである。
【課題を解決するための手段】
【０００４】この課題を解決するための請求項１の発明は、１つの綴じ穴ごとのシートにしたことを特徴とする。シートの糊付け面積を小さくすることで、切り抜いたページに圧着する際に手間取ったり、シワをつけたりすることを防止できる。【０００５】また、請求項２の発明は、１つの綴じ穴ごとのシートにしたことによって、付箋紙の多数積層のように、多数枚のシートを積層してコンパクトに束ねることができることを特徴とする。したがって、シートを剥離するたびに剥離紙が生じることを防ぐ。
【発明の効果】
【０００６】本発明により、シートの糊付け面積が小さくなったことで切り抜いたページに圧着することが簡易となる。
また、１つの綴じ穴ごとにシートを使用できるために、全てのとじ具のピッチに対応できるようになる。
さらにシートを積層できるため、多くの剥離紙が不要となる。
【発明を実施するための最良の形態】
【０００７】図１は、１つの綴じ穴ごとのシートにしたことを特徴とする、平面図である。
同図に示すように、シートの綴じ穴を１つにしたことにより、シート面積が最小限ですみ、切り抜いたページへの圧着も容易で、シワをつけたりすることを防止できる。【０００８】図２は、１つの綴じ穴ごとのシートにしたことによって、多数枚のシートを積層して  コンパクトに束ねることができることを特徴とする、立体図である。
同図で示すように、使用する前にはシートを積層しておくことができるため、シートを粘着するのに必要な剥離紙がほぼ不要となる。
【産業上の利用可能性】
【０００９】本発明に係る透明ファイリングシートは、工業的に量産することが可能であるため産業上の利用可能性を有する。
【図面の簡単な説明】
【００１０】
【図１】１つの綴じ穴シートを示した平面図である。
【図２】多数枚のシートを積層した立体図である。
【図３】本発明の使用説明図である。
【符号の説明】
【００１１】１  透明ファイリングシート本体
２  綴じ穴
３  糊部分
４  とじ具
５  バインダー
６  切り抜きページ
【図１】
2008168605.tif 000003
【図２】
2008168605.tif 000004
【図３】
2008168605.tif 000005
(57)【要約】【課題】  ボードマーカーのキャップを外したまま乾燥させずに容易にボードマーカースタンドに保管ができ、なおかつ好みの場所に設置ができるボードマーカースタンドを提供する。【解決手段】  フェノール樹脂または断熱剤を施した容器にボードマーカーを挿入しマーカーの先を包み込むことにより乾燥を防ぎまた、吸盤付きクリップまたは磁石付きクリップを一体化させた事により容易に好みに場所に設置できる。【選択図】図１
2008168604.tif 000002
【特許請求の範囲】
【請求項１】
フェノール樹脂または、断熱材を施した容器に吸盤付きクリップまたは磁石付きクリップを一体化させ、キャップを外したまま容易に保管できることを特徴とするボードマーカースタンド。
【請求項２】
ホワイトボードに吸盤によって直接設置することができ、フェノール樹脂を施した容器にボードマーカーを挿入し、包み込む状態を保つことによりキャップを外したまま保管する事ができ、吸盤により、容易に移動できることを特徴とするボードマーカースタンド。
【発明の詳細な説明】
【技術分野】
【０００１】  本発明は、ボードマーカーをキャップから外した状態で乾燥させずに保管するためのボードマーカースタンドに関する。
【背景技術】
【０００２】  従来ボードマーカーを保管する際は必ずキャップを装着する必要がありキャップを装着せずに保管できるボードマーカースタンドは皆無であった。
【発明の開示】
【発明が解決しようとする課題】
【０００３】  しかしながら、以上の技術によれば、ホワイトボードにボードマーカーで書きながら書類などを持つと両手がふさがりボードマーカーのキャップの脱着が面倒であった。
そこで、本発明は、ボードマーカーのキャップを着けずに保管できるボードマーカースタンドを提供することを課題とする。
【課題を解決するための手段】
【０００４】  以上の課題を解決するために、第一発明は、ボードマーカーを挿入する容器に断熱剤、またはフェノール樹脂を施すことを特徴とするボードマーカースタンドである。
また第二発明は、フェノール樹脂または断熱剤を施した容器に吸盤付きクリップまた磁石付きクリップが一体化して好みの場所に設置できることを特徴とするボードマーカースタンドである。
【発明の効果】
【０００５】  第一発明は、フェノール樹脂または断熱剤で施した容器でボードマーカーを覆うことにより乾燥を防ぎ容易に抜き差しすることができる。
第二発明はフェノール樹脂または断熱剤を施した容器に、吸盤付きクリップまたは磁石付クリップが一体化することにより好みの場所に設置しクリップに資料を挟む事ができる。
【発明を実施するための最良の形態】
【０００６】  この発明の一実施形態を、図１に示す。
ボードマーカースタンド本体はプラスチックであり本体１の中心にはフェノール樹脂または断熱剤を施してあり２吸盤付きクリップと一体化している。
図面２には吸盤の変わりに磁石を施したボードマーカースタンドである。
【実施例】
【０００７】  この実施形態によれば、ボードマーカーはキャップを着けず１に保管でき２がクリップになっているのでメモなどを挟むこともでき３が吸盤に５が磁石になっているので好みに場所に容易に設置できる。
【図面の簡単な説明】
【０００８】
【図１】  この発明の一実施形態を示す斜視図である。
【図２】  図１の吸盤の変わりに磁石を施した斜視図である。
【符号の説明】
【０００９】  １  プラスチック容器
２  クリップ
３  吸盤
４  フェノール樹脂
５  磁石
【図１】
2008168604.tif 000003
【図２】
2008168604.tif 000004
(57)【要約】      （修正有）【課題】無色透明塗料に混ぜられた、無色透明結晶粉体の乱反射によって、道路標識の夜間照明の方向、照明の強弱による塗装面の見難さ、降雨降雨時の水面の反射による塗装面の見難さを改善する全方向入射光に下地塗装が全方向に反射する表面塗装の提供。【解決手段】ガラスやアクリル等の無色透明の結晶粉体８を無色透明の塗装溶剤に混ぜた、光る塗装表面塗料およびそれを用いた表面塗装５。結晶粉体の乱反射特性を利用して、下地塗装を見易くする。【選択図】図３
2008168275.tif 000002
【特許請求の範囲】
【請求項１】
無色透明の塗装溶剤に無色透明の結晶（ガラス、アクリル等）の粉体（１００メッシュ−２ミリメーター粒径）を粉砕した粉体を混ぜた塗料とそれを用いた表面塗装。
【請求項２】
無色透明の塗装溶剤の薄膜表面塗装、その表面に無色透明の結晶（ガラス、アクリル等）の粉体（０．５−２ミリメーター粒径）を散布し、更にその表面に無色透明の塗装溶剤の薄膜表面塗装を施した、３層で構成する表面塗装。
【請求項３】
色つき塗装の下地の表面に  或いは  熱溶着テープの表面に、上記［請求項１］或は［請求項２］の表面塗装を施し、その乱反射機能を利用し、夜間、降雨時等下地塗装が見え難くなるのを防ぐ。
【発明の詳細な説明】
【技術分野】
【０００１】全方向反射塗装ペイント
【背景技術】
【０００２】特に無し。
【発明の解決しようとする課題】
【０００３】道路標識塗装等（１）夜間照明の方向，照明の強弱による塗装面の見難さ、（２）降雨時の水面の反射による塗装面の見難くさ。
【課題を解決する為の手順】
【０００４】上記（１）の場合、自動車の照明の道路標識塗装表面からの反射光は殆どは前方に流れ、反射光は塗装表面の凹凸に依るものに限られ、運転席に反射してくる光量は極めて少ない。（図１参照）。
上記（２）の場合、塗装表面に溜まった水の表面が外部からの光の大部分を直接反射するので、塗装表面に到達する光は少なく、その反射光は殆ど無い。（図２参照）。
これ等を改善する為、塗装表面に無色透明の結晶体を粉砕したの粉体を塗装し、乱反射させて視界に入る下地塗装表面の反射光を飛躍的に増大させる（図３参照）。
【発明の効果】
【０００５】道路標識等の夜間の見難さ、降雨時の見難さ大幅に改善する。
この特殊塗料は蛍光塗料と異なり全方向性ですから、蛍光塗料の代わりに使われることもある。
【発明を実施する為の最良の形態】
【０００６】  道路上の車線，横断歩道  等の標識塗装の表面塗装
【実施例】（１）無色透明の塗装溶剤に無色透明の結晶を粉砕した粉体（１００メッシュー２ミリメーター径）を混ぜた塗料を道路標識塗装表面に塗布する。
（２）無色透明の塗装溶剤を道路標識塗装面に塗布する。その表面に無色透明の結晶を粉砕した粉体（０．５−２ミリメーター径）をなるべく薄く散布する。更にその表面を無色透明の塗装溶剤で塗布し表面を仕上げる。
【産業上の利用可能性】
【０００７】全方位反射塗装面が必要な場所・部分に利用可能性がある。
【図面の簡単な説明】
【０００８】
【図１】自動車の前照灯の照明の殆どが前方に流れる様を示している。
【図２】自動車の前照灯の照明の殆どが水面で反射し前方に流れる様を示している。
【図３】自動車の前照灯の照明が、道路標識表面に施した無色透明の結晶体の粉末で乱反射し一部運転者の視界に反射する様を示す。
【符号の説明】
【０００９】▲１▼  自動車前照灯
▲２▼  前照灯の光線の流れ
▲３▼  地表面
▲４▼  降雨に水溜り
▲５▼  道路標識塗装
▲６▼  乱反射の様子
▲６▼  無色透明塗装溶剤の層
▲７▼  無色透明の結晶を粉砕した粉体
【図１】
2008168275.tif 000003
【図２】
2008168275.tif 000004
【図３】
2008168275.tif 000005
(57)【要約】【課題】曲げ強度、偏平強度、耐衝撃性に優れ、温度変化によっても軸芯方向への寸法変化が極めて小さなプラスチックコアを提供する。【解決手段】プラスチックコア１は、ポリプロピレン１００質量部に対してタルク（含水珪酸マグネシウム）を２５〜３５質量部の範囲で混ぜ合わせた材料で作られている。【選択図】図１
2008168999.tif 000002
【特許請求の範囲】
【請求項１】
ポリプロピレン１００質量部に対してタルク（含水珪酸マグネシウム）を２５〜３５質量部の範囲で混ぜ合わせた材料で作られてなることを特徴とするプラスチックコア。
【発明の詳細な説明】
【技術分野】
【０００１】
本発明は、フィルム、シートなどの巻芯として使用されるプラスチックコアに関するものである。
【背景技術】
【０００２】
従来のこの種フィルム、シートなどの巻芯は一般的に紙管と呼ばれるものが使用されてきたが、紙管は圧縮させた厚紙を筒状に成形して作られたもので、再利用されるものではなく、使い捨てであり、使い終われば廃棄物として処分しなければならないという問題があった。そこで、紙管に代わって再利用可能なプラスチック製コアが使用されるようになってきている。現在用いられているプラスチック製コアの材料として特許文献１に開示されているようにＡＢＳ樹脂が多く用いられている。
【特許文献１】特開２００４−２５６２７７号公報
【発明の開示】
【発明が解決しようとする課題】
【０００３】
上記特許文献１に開示されているようなＡＢＳ樹脂で作られたプラスチック製コアは、曲げ強度や偏平強度には優れるものの、衝撃に弱く、しかも線膨張係数が大きく温度変化によって軸芯方向への寸法変化が生じ易いという問題がある。
【０００４】
本発明の目的は、このような課題を解決するものであり、曲げ強度、偏平強度、耐衝撃性に優れ、温度変化によっても軸芯方向への寸法変化が極めて小さなプラスチックコアを提供することにある。
【課題を解決するための手段】
【０００５】
本発明の請求項１に記載のプラスチックコアは、ポリプロピレン１００質量部に対してタルク（含水珪酸マグネシウム）を２５〜３５質量部の範囲で混ぜ合わせた材料で作られてなることを特徴とする。
【発明の効果】
【０００６】
以上のように、本発明のプラスチックコアは、ポリプロピレン１００質量部に対してタルク（含水珪酸マグネシウム）を２５〜３５質量部の範囲で混ぜ合わせた材料で作られていることにより、曲げ強度、偏平強度、耐衝撃性に優れ、温度変化によっても軸芯方向への寸法変化が極めて小さなプラスチックコアを提供することができる。
【発明を実施するための最良の形態】
【０００７】
以下、本発明の一実施の形態を、図１を用いて具体的に説明する。
図において、１は本実施の形態のプラスチックコアで、このプラスチックコア１はポリプロピレン１００質量部に対してタルク（含水珪酸マグネシウム）を２５〜３５質量部の範囲で混ぜ合わせた材料で作られている。タルクの量が２５質量部より少ないとＡＢＳ製のプラスチックコア代替としての必要な強度が得られないという問題があり、またタルクの量が３５質量部より多いと耐衝撃性について優れた性能が得られないという問題がある。好ましいタルクの量は３０質量部である。
【０００８】
そこで、上記のようにポリプロピレン１００質量部に対してタルクを３０質量部混ぜ合わせた材料からなる本実施の形態のプラスチックコア１と、タルクを含有しないポリプロピレン製のプラスチックコアと、ポリエチレン製のプラスチックコアと、ＡＢＳ製のプラスチックコアをそれぞれ肉厚５ｍｍ、内径７５ｍｍにして用意し、これらのプラスチックコアの偏平試験および撓み試験をそれぞれ試験速度１０ｍｍ／ｍｉｎで行なった。偏平試験の結果を図２に示し、撓み試験の結果を図３に示している。図２に示すグラフからも本実施の形態のプラスチックコア１は偏平強度において他のプラスチックコアよりも優れており、図３に示すグラフからも本実施の形態のプラスチックコア１は曲げ強度においてＡＢＳ製のプラスチックコア並みの強度が得られ、その他のプラスチックコアよりも優れていることが分かる。
【０００９】
さらに、ポリプロピレン１００質量部に対してタルクを３０質量部混ぜ合わせた材料からなる本実施の形態のプラスチックコア１と、タルクを含有しないポリプロピレン製のプラスチックコアと、ポリエチレン製のプラスチックコアと、ＡＢＳ製のプラスチックコアの線膨張係数を表１に示した。
【００１０】
【表１】
2008168999.tif 000003
表１からもポリプロピレン１００質量部に対してタルクを３０質量部混ぜ合わせた材料からなる本実施の形態のプラスチックコア１は線膨張係数が他のプラスチックコアよりも小さく、温度変化によっても軸芯方向への寸法変化が極めて小さなプラスチックコアが得られる。
【００１１】
また、ポリプロピレンを材料として作られたものはＡＢＳを材料として作られたものに比べて靭性（割れにくさ）に優れていることが一般に知られており、このポリプロピレンにタルクを混ぜ合わせることにより、優れた曲げ強度および偏平強度を兼ね備え、温度変化によっても軸芯方向への寸法変化が極めて小さなプラスチックコアを提供することができるものである。
【図面の簡単な説明】
【００１２】
【図１】本発明の一実施の形態におけるプラスチックコアの斜視図である。
【図２】材料の異なるプラスチックコアの偏平試験結果を示すグラフである。
【図３】材料の異なるプラスチックコアの撓み試験結果を示すグラフである。
【符号の説明】
【００１３】
１    プラスチックコア
【図１】
2008168999.tif 000004
【図２】
2008168999.tif 000005
【図３】
2008168999.tif 000006
(57)【要約】【課題】  米飯を中に詰め込むだけでおにぎりを作ることができる海苔を三角の袋状に成形する台紙と兼ねた包装体を提供する。【解決手段】  台紙（１）に海苔（４）を重ね角▲２▼を折り曲げ角▲１▼に重ね合わせ指で押さえ、次に角▲３▼を折り曲げ点▲７▼に合わせシール（２）で固定すると三角の袋状になる。これに米飯を適量詰め込み角▲４▼を折り曲げ点▲８▼に合わせシール（３）で固定し包装した三角形のおにぎりを形成する。【選択図】図１
2008168943.tif 000002
【特許請求の範囲】
【請求項１】
台紙本体（１）の両端にシール（２）、（３）を設けた海苔を三角の袋状に成形する台紙と兼ねた包装体
【発明の詳細な説明】
【技術分野】
【０００１】  この発明は、米飯を中に詰めるだけでおにぎりを形成することができる、既製の海苔を三角の袋状に成形する台紙と兼ねた包装体である。
【背景技術】
【０００２】  従来の海苔で包んだおにぎりは、米飯をラップで包み握りしめてから海苔で包み、また、それを持ち歩く際は包装紙等で包装しなければならない。
【発明の開示】
【発明が解決しようとする課題】
【０００３】  これは次のような欠点があった。
（イ）米飯をラップで包み手につかないようにしてにぎりしめ、一旦おにぎりを成形してそれを海苔で包む手間がかかった。
（ロ）それを持ち運びするには包装紙等で包装しなければならない。
本発明は、米飯をにぎり海苔で包む手間と包装する手間を省くものである。
【課題を解決するための手段】
【０００４】  台紙（１）の大きさは、既製の海苔を二分した大きさより少々大きい矩形又は楕円形等とし、両端にシール（２），（３）を設ける。シール（２）、（３）は矩形又は円形等とし、非粘着シートを貼り付け、非粘着シートを剥して貼り付ける様にする。シール（２）、（３）は曲面に貼り付けやすくするためシール自体に数箇所の切れ目を入れるか又は小さなシールを数枚設ける。
【発明の効果】
【０００５】  台紙と重ね合わせた海苔で作った円錐状の袋に米飯を詰めて封をするだけで、包装したおにぎりができるのできわめて便利である。
【発明を実施するための最良の形態】
【０００６】  既製の海苔を長手方向で二つ折りにして二分し、その一片の大きさの海苔（４）を使用する。
台紙（１）を平らなところに置き、台紙（１）の上に海苔（４）を置き指で押さえ密着させる。
台紙（１）の角▲２▼を海苔（４）ごと折り曲げ角▲１▼に重ね合わせて指で押さえる。
次に、台紙（１）の角▲３▼を海苔（４）ごと折り曲げ点▲７▼に合わせ指で押さえ、シール（２）の非粘着シートを剥し台紙に貼付け固定する。
これを裏返して手に持ち角▲５▼と角▲１▼▲２▼を少々縮めて円錐の袋状にする。
この円錐の袋に米飯を適量入れる。
次に、台紙（１）の角▲４▼を海苔（４）ごと折り曲げシール（３）の非粘着シールを剥し台紙（１）に貼付け固定する。
【図面の簡単な説明】
【０００７】
【図１】  本発明の台紙の平面図である。
【図２】  既製の海苔を二分した図である。
【図３】  台紙の上に海苔を重ね置いた図である。
【図４】  台紙の角▲２▼を海苔ごと折り曲げ角▲１▼に重ね合わせた図である。
【図５】  図４の状態に台紙の角▲３▼を点▲７▼の位置に折り曲げシール（２）を台紙に貼付け固定した図である。
【図６】  図５の状態を裏返した三角の袋に適量の米飯を詰め込む図である。
【図７】  図６の米飯を詰め込んだ後に台紙の角▲４▼を点▲８▼の位置に折り曲げシール（３）を台紙に貼付け固定した図である。
【図８】  米飯の詰め込む量を大きくするため台紙の角▲３▼の折り曲げ位置を点▲１０▼にした図である。
【図９】  米飯の詰め込む量を大きくするため台紙の角▲４▼の折り曲げ位置を点▲１２▼にした図である。
【符号の説明】
【０００８】１  台紙
２  シール
３  シール
▲１▼  台紙の角を示す
▲２▼  台紙の角を示す
▲３▼  台紙の角を示す
▲４▼  台紙の角を示す
▲５▼  台紙の角を示す
▲６▼  台紙の角を示す
▲９▼  台紙の角を示す
▲１１▼  台紙の角を示す
▲７▼  台紙を折り曲げる際の角を合わせる位置を示す
▲８▼  台紙を折り曲げる際の角を合わせる位置を示す
▲１０▼  台紙を折り曲げる際の角を合わせる位置を示す
▲１２▼  台紙を折り曲げる際の角を合わせる位置を示す
【図１】
2008168943.tif 000003
【図２】
2008168943.tif 000004
【図３】
2008168943.tif 000005
【図４】
2008168943.tif 000006
【図５】
2008168943.tif 000007
【図６】
2008168943.tif 000008
【図７】
2008168943.tif 000009
【図８】
2008168943.tif 000010
【図９】
2008168943.tif 000011
(57)【要約】【課題】  からしの袋は、小袋のため手に持って開閉するとき、指先にからしが付着することが、問題であり課題であった。【解決手段】  納豆容器のふたとの連結に、巾広く設け、そのつば部に、からしの袋が収まる凹状に形成し、ここに図（２）のからしの袋を固着する、（図２）の（６）を引くことにより開閉し、からし部を、指先で押しだす。以上の構成から成る納豆容器。【選択図】図１
2008168944.tif 000002
【特許請求の範囲】
【請求項１】
納豆容器の器と、ふたの連結部のつばに、からしの袋が収まる凹部を設けた、納豆容器。
【発明の詳細な説明】
【技術分野】
【０００１】    この発明は、からしの袋を容易に開閉できる納豆容器に関するもの。
【背景技術】
【０００２】    従来、納豆容器に入っているからしの袋を手に持って開閉していたが、小袋に入っているため、手にからしが付着して不便であった。この問題を解決することが課題であった。
【発明の開示】
【発明が解決しようとする課題】
【０００３】    これは、次のような問題点があった。からしの入っている袋は小さく、手に持って開閉するとき、からしが手に付着して不便であった。
本発明は、以上のような次点をなくすために、形成された構造から成る納豆容器。
【課題を解決するための手段】
【０００４】    本発明の納豆容器は、ふたと、器の連結部の巾を広く設け、からしの袋が収まるように、凹状に形成したことから成る構造を特徴とする。
からしの袋は、（図２）に示す形成を特徴とする。
【発明の効果】
【０００５】    本発明の、形態容器は、袋を開閉したとき、手にからしが付着することなく、空袋を他に置くことなく食することができ便利である。
【発明を実施するための最良の形態】
【０００６】    納豆容器本体と、ふたの連結部の巾を広く設け、その部にからしの袋が収まるように、凹状に形成した構造とする。
【実施例】
【０００７】    納豆容器本体（１）の凹部（２）にからしの袋（４）を固着する、色で示した切口を開閉し指先で、からし（５）を押してだす。以上の構成から成る、納豆容器を提供する。
【図面の簡単な説明】
【０００８】
【図１】    納豆容器の斜視図
【図２】    からし袋の正面図
【符号の説明】
【０００９】    １  納豆容器本体
２  からしの袋を収める凹部
３  ふた
４  からし袋及び接着部
５  からし
６  色で示した切口
【図１】
2008168944.tif 000003
【図２】
2008168944.tif 000004
(57)【要約】【課題】  簡易で安価に提供のできるシート状の結束帯。【解決手段】  帯幅の両端を鋸歯状の刻み（Ｂ）を付け、その刻み先細方向を先端（Ｘ）とし、一方の後端を口（Ｃ）を有して頭部（Ｙ）とする。その帯面中央に、先端から口に掛けた折筋（Ａ）を通す。その折筋で先端面を半折して折窄め、一方の口に差し通し締付けてなる結束帯。【選択図】図１
2008168941.tif 000002
【特許請求の範囲】
【請求項１】
帯幅の両端を鋸歯状の刻み（Ｂ）を付け、その刻み先細方向を先端（Ｘ）とし、一方の後端を口（Ｃ）を有して頭部（Ｙ）とする。その帯面中央に、先端から口に掛けた折筋（Ａ）を通す。その折筋で先端面を半折して折窄め、一方の口に差し通し締付けてなる結束帯。
【発明の詳細な説明】
【技術分野】
【０００１】  園芸の添木などに使用する、プラスチック・シートでなる結束帯に関するものである。
【背景技術】
【０００２】  この項、不承にて省略する。
【発明の開示】
【発明が解決しようとする課題】
【０００３】  プレスの打抜き成型で成る、簡易で安価に提供のできるシート状の結束帯。
【課題を解決するための手段】
【０００４】  帯幅の両端を鋸歯状の刻み（Ｂ）を付け、その刻み先細方向を先端（Ｘ）とし、一方の後端を口（Ｃ）を有して頭部（Ｙ）とする。その帯面中央に、先端から口に掛けた折筋（Ａ）を通す。その折筋で先端面を半折して折窄め、一方の頭部の口に差通し締付けてなる結束帯。
以下、その取付け手順を以て解決の手段とする。【０００５】１〜先端（Ｘ）の帯面を、折筋（Ａ）で谷折り半折する。
・折筋は帯面中央に、先端から頭部（Ｙ）に掛けて通してある。
２〜その先端（Ｘ）を頭部（Ｙ）に向け折曲げ、頭部に有した口（Ｃ）に差入れる。
・この折曲げにより、谷折された先端が返されて山折りになる。従って、口への差入れは先端山折り状で侵入する。
・口の径は、山折半折された帯面が通関する大きさである。従って差入れは可能である。
３〜差入れた先端（Ｘ）を口（Ｃ）から引出し引締める。
・この引出しに、先端以降の後続の帯体は口径の規制に合う。即ち、後続の帯体は折筋で折りのされていない平面体であり、口径より面が大きく侵入は規制される。従って後続は、先端の進入に乗って折筋を合わせて侵入する。
４〜帯が引締まり、口（Ｃ）に刻み（Ｂ）が噛み合い嵌合する。
・この嵌合は、帯体の制止とともに口径に規制された山折りの帯が口中で開放され、折面を反発して平面に広げる。従って両端の刻みに口が挟まり嵌合する。
・この反発は、素材であるプラスチック板の反発質により可能である。また嵌合は、内幅（Ｚ）、即ち両端の刻みの付根と付根の間幅。と口の径が比例しており可能である。【０００６】  以上、結束の完了である。また、これを緩めたり外す場合は、結束部の両端の刻みを折り窄め、口中に押し返すと緩まり外れる。
【発明の効果】
【０００７】  本発明はプレス打抜きの成型で上がるため、生産が容易である。従って安価に提供でき。またシート状であるため、嵩張りもせず且つ柔軟な湾曲を有す結束が出来る。
【発明を実施するための最良の形態】
【０００８】  本発明は、用材であるプラスチックの板厚や軟度により、結束の感度が影響されることを考慮されたし。
【産業状の利用可能性】
【０００９】  従って本発明に係る結束帯は、工業的にも量産することが可能であるため、産業状の利用可能性を有する。
【図面の簡単な説明】
【００１０】
【図１】  本発明の平面図である。
【図２】  本発明の折筋（Ａ）を折った上面、側面状態図である。
【図３】  本発明の結束した状態図である。
【符号の説明】
【００１１】  Ｘ          先端
Ｙ          頭部
Ｚ          内幅
Ａ          折筋
Ｂ          刻み
Ｃ          口
【図１】
2008168941.tif 000003
【手続補正書】
【提出日】平成19年4月2日(2007.4.2)
【手続補正１】
【補正対象書類名】明細書
【補正対象項目名】００１０
【補正方法】変更
【補正の内容】
【００１０】
【図１】  本発明の平面図である。
(57)【要約】【課題】現在使用されている食品包装用ラップフイルム本体を取り出す手段として本体の最先端部分面上に幅の有る長平面帯状のものを中心当たりに貼り付けてそれを取り出しているので両サイドを含む全体面が取りにくい。本体が本体自身と密着しやすい性質を持っているので直ぐに密着しそれをはがすのに手間がかかるし、巻き癖があるので直ぐに元に戻り使用に手間がかかる不便が有る【解決手段】本件の特徴はラップフイルム収納箱の後面にある押しレバーの操作で刃が箱蓋先端縁面より出て収納箱先端縁面上にあるラップフイルムの先端部分面の直下で切断し、使用後はそれを放すと自動的に元に戻るので安全、ラップフイルム裏面の凸粒状があるので引っ付く心配がなく、戻り防止の措置が箱先端表面の粘着剤で、円筒落下防止措置は収納箱縁長面がラップフイルム上面を押さえるように作られている、ラップを円滑切り取り戻る心配がないので便利である。【選択図】図１
2008168942.tif 000002
【特許請求の範囲】
【請求項１】
ラップフイルム収納箱の蓋の前面先端部分側面に切断刃が前後する孔を持つ、蓋の後面に逆Ｌ型押しレバーの案内棒がその中を通り、操作により刃が前後する。ラップフイルム収納室縁部分面がラップの円筒から使用するラップが出る近くまで伸びその位置でそれを押さえ引っ付きと逆戻りの防止をする、箱の先端部分縁表面に逆防止の粘着剤を塗ってある、又ラップ裏面に凸粒上を網羅している
【発明の詳細な説明】
【技術分野】
【０００１】ラップフイルム収納箱に付いている切断刃が固定されそれによる怪我をするケースが多く又逆戻りが多く引っ付くそれを剥がすのに苦労をする、ケース蓋の後面に逆Ｌ型押しレバーにバネを巻いた案内棒の先端に切断刃が付きそれを操作することにより蓋の先端縁部分面にそれが前後する孔がある。収納室側縁面が後面へ伸びてラップ上面を押さえ落下とラップの裏面がその上に載っているので引っ付きを防止する。
【背景技術】
【０００２】ラップ収納箱蓋の前面に切断刃が固定付けられてラップ箱の中途の位置でカットするのでラップが元の位置に戻りそれにより引っ付き、解くのに一苦労するしその刃で手を切り箱から外す時にも怪我をする危険が多くあるので不便で安心して使用できない。
【発明の開示】
【発明が解決しようとする課題】
【０００３】ラップ収納箱の蓋の前面に切断はが固定されて箱の平面体の中途位置でそれをカットするのでラップが元の位置に戻りそれにより引っ付き、解くのに一苦労するしその歯で手を切り箱からそれを外す時も指を切る危険があり不安で安心して使用が出来にくいので不便である
【課題を解決するための手段】
【０００４】ラップフイルム収納箱の後面にある押し逆Ｌ型レバーの操作で刃が箱蓋先端縁面より収納箱先端縁面上にあるラップフイルムの先端部分面の直下で切断し、使用後はそれを放すと自動的に元に戻るので安全、ラップフイルム上面の凸粒状があるので引っ付く心配がなく、戻り防止の措置が箱先端表面の粘着剤で、円筒落下防止措置は収納箱縁長面がラップフイルム上面を押さえるように作られている、ラップを円滑切り取り戻る心配がないので便利である
【発明の効果】
【０００５】ラップフイルム収納箱の後面にある逆押しＬ型レバーの操作で刃が箱蓋先端面より収納先端縁面上先縦直線で切断でき収納箱から力を抜く切断刃が蓋の収納部分面に収まり手起きる心配がなくラップフイルムも逆流防止と密着防止装置があるので直ちに使用が出来便利である
【発明を実地するための最良の形態】
【０００６】ラップフイルム収納箱蓋後面に逆Ｌ形押しレバーを有し、操作によりバネを巻いた案内棒が前後する、蓋先端側面に孔を持つ、箱の先端縁部分平面状上に逆戻り防止の粘着剤を塗布し、収納室縁面を円筒ラップフイルム面と使用されるフイルムの分岐点近くまで伸び、フイルムの引っ付きと戻りを防止ラップ切断時は収納箱先端縁面直下点面で切断するフイルム面に凸形状を網羅する
【図面の簡単な説明】
【０００７】
【図１】本発明の斜視図である
【符号の説明】
【０００８】  １  ラップフイルム収納箱蓋の先端縁面にラップ切断刃が前後する口を持っている
２  ラップフイルム収納箱の蓋を立てている
３  ラップフイルム収納箱
４  円筒のラップフイルムで表面に凸粒状を持つ
５  ラップフイルムの巻き戻り防止用の粘着剤を付けている部分面
６  ラップフイルム収納箱の収納室縁面が必要な長さまで後ろへ伸ばしてラップの円筒上面を押さえてラップの裏面を載せているので引っ付きにくく落下の心配がない部分面
７  収納箱蓋前面縁面より切断刃を前後さす案内棒に巻いているバネ
８  バネを巻いた案内棒
９  切断刃を前後さす押レバーで収納箱の背面にあり押すことにより刃が前へ出る、使用後手を外すと自動的に元に戻る
１０  ラップ裏面に凸粒状を網羅している
【図１】
2008168942.tif 000003
(57)【要約】【課題】歩行訓練用松葉杖において、一般的で便利な松葉杖は一本支柱型であるため、路上での訓練でちょっとしたつまずきでも転倒しやすく、けがのもとになる。訓練中の休憩も必要であるし、場合によっては遠出に交通機関（バス及び電車等）使用もある。【解決手段】路上での走行訓練でちょっとしたつまずきでも転倒しないために転倒防止杖２を取り付け３箇所接地で踏ん張る構造とした。一対の松葉杖に安全帯３を取り付け、片方の松葉杖に取り付けている枠梁４，５をもう一方の松葉杖にセットし、その場で腰掛として使用可能とした。一対の松葉杖は重ねて持ち運び出来る構造としたため、どこでも手軽に使用出来るものとした。【選択図】図１
2008168100.tif 000002
【特許請求の範囲】
【請求項１】
一対の松葉杖で安全帯及び枠梁の組込みで腰掛として使用出来、転倒防止杖を組み込んだ腰掛付転倒防止型松葉杖
【発明の詳細な説明】
【技術分野】
【０００１】本発明は歩行訓練等に使用する松葉杖で、路上での少々のつまずきでも転倒しない構造とし、休憩のための腰掛として使用出来、持ち運びも便利な腰掛付転倒防止型松葉杖に関するものである。
【背景技術】
【０００２】一般的な松葉杖はほとんど一本支柱型であるため、ちょっとしたつまずきでも転倒しやすい。訓練途中での休憩の場合、腰掛の用意が必要である。腰掛を組み込んだ枠組のものは大型となり、交通機関（バス、電車等）使用時の持込が不便である。【０００３】
【特許文献１】特開２００６−３３４１８５号公報、特開２００４−０３３４４７号公報  特開２００１−０１７４９１号公報、登録実用新案第３０６６７１号
【発明の開示】
【発明が解決しようとする課題】
【０００４】歩行訓練等に松葉杖を使用するが、一般的な松葉杖は一本支柱であるため、路上での訓練で、ちょっとしたつまずきでも転倒しやすく怪我しやすい。訓練中の休憩も必要であるし、場合によっては遠出に交通機関（バス、電車等）使用もある。本発明は、この課題を解決するためになされたものである。
【課題を解決するための手段】
【０００５】転倒防止のため、転倒防止杖２を組込み３箇所で接地の松葉杖とし、一対の松葉杖に安全帯３を取り付け分離しないようにする。腰掛としてセットするため、片方の松葉杖に枠梁４，５を取り付けもう一方はそれを組むためのセット掛金９を取り付ける。
一対の松葉杖は重ね合わせて持ち運び可能でスペースを取らない構造となっているので、持ち運びも簡単である。
【発明の効果】
【０００６】松葉杖に転倒防止杖２を組込み３点接地となるため転倒防止効果が大である。一対の松葉杖に安全帯３及び枠梁４，５を組付けており、簡単に腰掛としてセット可能なため歩行訓練中の休憩が容易に取れる。安全帯で両方の松葉杖がつながっており、重ね合わせが可能な構造としているため持ち運びに便利である。
以下、本発明の実施の形態について説明する。
（イ）．松葉杖に転倒防止杖２を取り付け３点接地とする。
一対の松葉杖に安全帯３及び枠梁４，５を取り付けて腰掛としてセット出来る。
【実施例１】
【０００７】図１は松葉杖の正面図、一対松葉杖の腰掛セット状態の側面図及び平面図を示す。図２は走行訓練での一対松葉杖の使用状態の正面図、側面図及び平面図を示す。図３は走行訓練中休憩のため腰掛としての使用状態の正面図、側面図及び平面図を示す。【０００８】図１において、一対松葉杖の構成部品を示す。松葉杖本体１に転倒防止杖２が各梁２ａ、２ｂ及び２ｃで取り付けられている。安全帯３の両端は両方の松葉杖梁２ａに結合されている。腰掛セットの枠梁４，５は片側の松葉杖に取付ピン８及び保管掛金１０で固定されている。松葉杖接地部はスベリ止めパット６が座板７にネジ止めされている。【０００９】図１の側面図及び平面図において、腰掛としてセット状態を示す。枠梁４，５は片側松葉杖のセット掛金９にセットし、安全帯３を広げてセットすることにより腰掛として使用可能となる。【００１０】図２において、走行訓練時は安全帯３の両端が各松葉杖に連結されており分離することがない。枠梁４，５は片側松葉杖に収納されていて走行訓練の邪魔にはならない。路上走行でのつまずきによる体の左右への傾きに対して転倒防止杖２が接地し踏ん張ることが出来る。【００１１】図３において、走行訓練時の休憩に腰掛として使用状態を示す。片側の松葉杖に収納されている枠梁４，５をもう一方の松葉杖のセット掛金９にはめ込み腰掛として形成することが出来る。安全帯３は両端掛金の位置をずらして、尻受けのため広げてセットされる。松葉杖１は３箇所接地としているため安定している。
【図面の簡単な説明】
【００１２】
【図１】本発明実施例の腰掛付転倒防止型松葉杖の正面図、腰掛としてセット状態の側面図及び平面図である。
【図２】本発明実施例の腰掛付転倒防止型松葉杖での走行訓練状態の正面図、側面図及び平面図である。
【図３】本発明実施例の腰掛付転倒防止型松葉杖での休憩腰掛状態の正面図、側面図及び平面図である。
【符号の説明】
【００１３】１    松葉杖本体                ７    座板
２    転倒防止杖                ８    取付ピン
２ａ  梁                        ９    セット掛金
２ｂ  梁                        １０  保管掛金
２ｃ  梁                        １１  脇受け
３    安全帯
４    枠梁
５    枠梁
６    スベリ止めパット
【図１】
2008168100.tif 000003
【図２】
2008168100.tif 000004
【図３】
2008168100.tif 000005
(57)【要約】【課題】パイプ内で鼻咽喉軟性内視鏡挿入部を洗浄する流水洗浄器において、内視鏡先端レンズ面の効果的な洗浄を行うとともに、内視鏡先端の過剰な振動を抑えることにより内視鏡先端の損傷を防ぐ。【解決手段】垂直に固定した透明パイプ（１）の中で鼻咽喉軟性内視鏡挿入部（２）を流水洗浄する際に、パイプ内の内視鏡先端レンズ面（３）直下にパイプの内径より直径の小さい円柱状構造（４）をパイプと同心に設置した。またこの部分のパイプの内径は上方より下方に向かって漸増させ（５）、円柱状構造の周囲を流水が流れる形態とした。これによって落下する流水の中心部の水は円柱状構造の上面すなわち流水反射板（６）で反射、反転し、乱流を起こして内視鏡先端レンズ面を洗浄する。また比較的外側の水はパイプ内面に沿ってそのまま勢いよく落下していくために内視鏡先端付近の極端な触れ回りを抑える働きをする。【選択図】図２
2008168099.tif 000002
【特許請求の範囲】
【請求項１】
鼻咽喉軟性内視鏡挿入部をパイプの中で流水洗浄する際に、内視鏡先端直下に設置した流水反射板によって流水の一部を反転し、乱流を起こさせて内視鏡先端のレンズ面を洗浄する工夫をした鼻咽喉軟性内視鏡洗浄器。
【発明の詳細な説明】
【技術分野】
【０００１】  この発明は流水反射板を用いることにより内視鏡先端のレンズ面を効果的に洗浄する、鼻咽喉軟性内視鏡用の流水洗浄器に関するものである。
【背景技術】
【０００２】  従来、パイプ内に入れた鼻咽喉軟性内視鏡を流水によって洗浄し、先端のレンズ面についてはパイプを直角に曲げた構造にすることにより流水の方向を変えて洗浄する鼻咽喉軟性内視鏡用の流水洗浄器があった。
【発明の開示】
【発明が解決しようとする課題】
【０００３】  これには次のような欠点があった。
流水が内視鏡先端部分の直角の曲がりにより一方向にだけ流れるため、軟性内視鏡の先端が流水の方向に振れ、パイプの中で振動し、パイプの内壁に当たってしまう。これでは近年主流となっている先端にＣＣＤカメラを装着した軟性内視鏡を損傷する可能性がある。
本発明はこの欠点を除き、かつ内視鏡先端レンズ面を十分に洗浄できるよう工夫したものである。
【課題を解決するための手段】
【０００４】  垂直に固定した透明パイプ（１）の中で鼻咽喉軟性内視鏡挿入部（２）を流水洗浄する際に、パイプ内の内視鏡先端レンズ面（３）直下１０ｍｍ前後にパイプの内径より直径の小さい円柱状構造（４）をパイプと同心に設置した。またこの部分のパイプの内径は１０〜２０ｍｍ上方より下方に向かって漸増させ（５）、円柱状構造の周囲を流水が流れる形態として流水の滞りが生じないようにした。また落下する流水の中心部の水を円柱状構造の上面で反射、反転させて乱流を起こし、内視鏡先端のレンズ面を洗浄出来るようにした。
この円柱状構造の上面を流水反射板（６）と呼ぶこととする。
本発明は以上のような構成よりなる鼻咽喉軟性内視鏡の流水洗浄器である。
【発明の効果】
【０００５】  透明パイプ（１）の中の鼻咽喉軟性内視鏡挿入部（２）側面は、その周囲を上方より供給された水が勢いよく流れることにより洗浄され、先端付近および先端レンズ面（３）は透明パイプの中心に設置された流水反射板（６）によって上方に跳ね返された水が乱流を生ずることで洗浄される。一方、この部分のパイプ内径は上方よりも漸増（５）しているので円柱状構造（４）の外側をパイプ内面に沿って水が勢いよく下方に向かって流れていく。この水の流れは軟性内視鏡の先端部分が極端に振れてパイプ内面に当たるのを防いでくれる。
【発明を実施するための最良の形態】
【０００６】  以下、本発明の実施の形態について説明する。
垂直に設置された内径１７ｍｍ程度の透明パイプ（１）の上端付近に設けた側管の流水口（７）より水道水を管内を満たす流量で流す。パイプの中には鼻咽喉軟性内視鏡挿入部（２）が挿入され、内視鏡保持部（８）が内視鏡固定具（９）によって固定される。内視鏡先端レンズ面（３）の直下には流水反射板（６）がパイプと同心で設置してあり、その周囲のパイプ内径は上方よりも漸増（５）しているのでパイプ内中心付近の水のみが円柱状構造（４）の上面すなわち流水反射板（６）に当たって上方に跳ね返ることでレンズ面に当たり、外側の水はパイプの内面に沿って勢いよく下方に流れる。この中心付近の水の流れは内視鏡先端レンズ面（３）を効果的に洗浄し、外側の水の流れは軟性内視鏡先端が極端に振れまわるのを押さえてくれる。従ってパイプ内面に内視鏡先端が当たることによる損傷を避けることが出来る。すなわち内視鏡洗浄で最も重要な先端付近、レンズ面の洗浄の効果が大であり、しかも現在主流になりつつある先端にＣＣＤカメラを内蔵したビデオスコープタイプの内視鏡も安心して使える鼻咽喉軟性内視鏡洗浄器といえる。
試作の洗浄器を使用して耳鼻咽喉科外来にて内視鏡検査直後の内視鏡先端の菌検査と洗浄後の菌検査を３０例について比較検討した結果、洗浄器使用のみでの菌消失率は約９０％であった。日常の外来診療では内視鏡の洗浄に加えて消毒薬への浸漬を行うが、この流水反射板を取り入れた鼻咽喉軟性内視鏡洗浄器を使用する場合、洗浄のみでこのように高い菌消失率を得られることにより消毒薬への浸漬時間を大幅に短縮できるものと期待される。
【図面の簡単な説明】
【０００７】
【図１】  本発明の斜視図である。
【図２】  本発明使用中の一部断面図である。矢印は流水方向を示す。
【符号の説明】
【０００８】  （１）透明パイプ  （２）鼻咽喉軟性内視鏡挿入部  （３）内視鏡先端レンズ面
（４）円柱状構造  （５）パイプ内径漸増部  （６）流水反射板  （７）流水流入口
（８）内視鏡保持部  （９）内視鏡固定具
【図１】
2008168099.tif 000003
【図２】
2008168099.tif 000004
(57)【要約】【課題】  従来、歯並びの矯正や、黄ばんだ歯の脱色には、歯科医院での歯科治療が必要であり、高額の治療費と長期間の治療期間を要していた。【解決手段】柔軟性のある任意の樹脂によって成形した一体歯（１）の裏面に、熱再活性化樹脂（２）を設けた付け歯を具現化することで、前述の治療を必要とせずに、完璧な歯並の白い歯を付け爪感覚で容易に実現することができる。【選択図】図２
2008168096.tif 000002
【特許請求の範囲】
【請求項１】
柔軟性のある任意の樹脂によって成形した一体歯（１）の裏面に、熱再活性化樹脂（２）を設けたことを特徴とする付け歯。
【発明の詳細な説明】
【技術分野】
【０００１】  本発明は美容用品に属する付け歯に関する。
【背景技術】
【０００２】  従来、容姿の美観を損ねる黄ばんだ歯や不揃いの歯並びを解決する手段としては、矯正や入れ歯、インプラント等の歯科治療が必要であり、長期の治療期間と高額の治療費の支出を余儀なくされていた。
【発明の開示】
【発明が解決しようとする課題】
【０００３】  前述の費用と期間をかけずに、白く完璧な歯並びを簡便に具現化できるような用品の実用化が要望されている。【０００４】  本発明は、上記の要望を具現化することを目的とするものである。
【課題を解決するための手段】
【０００５】  本発明は上記目的を達成するために、図１に示すように、薄く柔軟性のある樹脂によって成型された一体歯（１）の裏面に、熱再活性化樹脂（２）を設けたものである。
尚、ここで言う熱再活性化樹脂とは、概ね５０度の温度で樹脂自体が軟化し、それ以下の温度になると硬化する特性を繰り返し持続できる樹脂のことを総称している。
【発明の効果】
【０００６】  上記の課題解決手段による作用は次の通りである。
すなわち、一体歯（１）の裏面に設けられた熱再活性化樹脂（２）が軟化した状態で本発明を装着する者の元歯に密着し、本発明が元歯と一体化されることで、従来の歯科治療を施す事無く、簡便に完璧な歯並びの白い歯を実現することができる。
【発明を実施するための最良の形態】
【０００７】  以下、本発明の実施の形態を図１〜図３に基づいて説明する。【０００８】  図１から図３の各々の図面に示すように、エラストマー系等の柔軟性のある厚さ１ｍｍ以下で成型された一体歯（１）の裏面に熱再活性化樹脂（２）を設ける。
本発明は、老若男女汎用タイプとするために、元歯との整合性を高める上で、数種類の大きさのものを製品化するのが望ましい。
尚、本発明の使用方法は、温度が５０度以上の温水に本発明を数分間浸した後に、元歯の前面に押し付けて密着固定する。
すると本発明の熱再活性化樹脂（２）が元歯の形状と歯間に入り込む事で、固定金具等を用いる事なく、元歯と一体化し、従来の入れ歯と同様の固定が可能となる。
本発明は固定方法に熱再活性化樹脂（２）を使用しているため、容易に脱着が可能であるし、また、装着に失敗しても、何度でも熱再活性化樹脂（２）の形状が容易に変えられるので、元歯に対して最もフィットした形状を使用者が容易につくりあげることが可能である。【０００９】  以上の構成により、本発明は、従来、歯科治療を施さないと不可能とされた白く完璧な歯並びを、歯科医院に通院することなく、付け爪感覚で容易に実現することが可能となるのである。
【図面の簡単な説明】
【００１０】
【図１】  本発明の正面図である。
【図２】  本発明の上面図である。
【図３】  本発明の背面図である。
【符号の説明】
【００１１】  １  一体歯
２  熱再活性化樹脂
【図１】
2008168096.tif 000003
【図２】
2008168096.tif 000004
【図３】
2008168096.tif 000005
(57)【要約】【課題】  一つの装置で全ての撮影  例えば二等分法撮影や平行法撮影などの歯科におけるＸ線撮影を簡便にかつ精確に行えることを目的にし、さらに、安価な使い捨ての材料を使用することで消毒滅菌の問題を解決しようとするものである。【解決手段】    Ｘ線フイルム上に被写体と等倍率の映像を得ることを目的に開発された本発明は、標的板（１）とフイルム板（２）とに咬合板（３）を蝶番様に連結し、咬合板に照準装置（４）を垂直に装着し、Ｘ線フォーカス（６）に平行に装着した照準用光源（５）を設けた構造で照準用光源からの光によって標的板に投影された照準装置の図形が標的板に一致するようにＸ線フォーカスを合わせることで三次元的あらゆる角度や位置で被写体と等倍率のＸ線像が得られるものである。【選択図】図１
2008168087.tif 000002
【特許請求の範囲】
【請求項１】
標的図（１）付きフイルム板（２）に咬合板（３）を蝶番用に連結し、咬合板に照準装置（４）を垂直に設けた構造で、Ｘ線フォーカスに平行に装着した照準用光源（６）からの光線によって投影された照準装置の図形が標的図に一致するようにして撮影し、被写体と等倍率のＸ線像が得られる歯科Ｘ線高精度撮影用フイルム］保持装置である。
【発明の詳細な説明】
【発明の詳細な説明】
【技術分野】
【０００１】  本発明は、歯科で行われる被写体と等倍率のＸ線撮影を精確に、簡便に行うことを目的に開発されたものである。
【背景技術】
【０００２】  従来のものは、撮影角度が固定されていたり（例えば、特許文献１、２参照）角度を調整したり（例えば、特許文献３、４参照）、撮影部位によって異なる装置を選択しなければならなかったり（例えば、非特許文献１参照）、患者さんによっては調整が困難であったり、複雑で繁雑でさらに消毒滅菌が困難なものもあった。
【非特許文献１】「フィード株式会社デンタルカタログＮＯ４１ｐ．５７３−５７４」
【特許文献１】「特開２００３−１９０１５０」
【特許文献２】「特開２００４−１７４１６２」
【特許文献３】「特開平１１−１７８８１７」
【特許文献４】「特開平１１−１９７１４８」
【発明の開示】
【発明が解決しようとする課題】
【０００３】  一つの装置で全ての撮影例えば二等分法撮影や平行法撮影などの歯科における被写体と等倍率のＸ線撮影を簡便にかつ精確に行えることを目的にし、さらに、安価な使い捨ての材料を使用することで消毒滅菌の問題を解決しようとするものである。
【課題を解決するための手段】
【０００４】    標的図（１）付きフイルム板（２）に咬合板（３）を蝶番用に連結し、咬合板に照準装置（４）を垂直に設けた構造で、Ｘ線フォーカスに平行に装着した照準用光源（６）からの光線によって投影された照準装置の図形が標的図に一致するようにして撮影し、被写体と等倍率のＸ線像が得られる歯科Ｘ線高精度撮影用フイルム保持装置である。
【発明の効果】
【０００５】  咬合板を歯牙の咬合面にあて咬合板の同じ面に垂直に装着された照準装置があり、そこに蝶番様に連結されたフィルム板にフィルムが固定され同じ面に標的板がある。Ｘ線フォーカスに平行に装着された照準用光源からの光は照準装置の図形を標的板に投影する。照準装置の図形と標的板の図形は同じ位置を表すものであると、両者が一致することは、照準装置と標的板は二等辺三角形を形成することであり、光源からの光はこの二等辺三角形の頂点からの垂直二等分線に垂直に投影されていることになる。従ってこれと平行にセットされたＸ線フォーカスからのＸ線も同じく歯牙とフイルムがつくる二等辺三角形の頂点からの垂直二等分線に垂直に投影されることになり実物とおなじＸ線像が得られることになるのである。
【発明を実施するための最良の形態】
【０００６】  歯科のＸ線はフイルム上に被写体と等倍率の映像を得ることを目的に撮影がおこなわれるがこの目的のためにこれまでに種々な撮影法が考案されてきた。そこで本発明は、撮影部位とフイルムの関係を照準装置と標的板の関係に平行移動し、あらかじめＸ線フォーカスに平行に設けられた照準用光源からの光によって標的板に投影された照準装置の図形が標的板に一致するようにＸ線フォーカスを合わせることで三次元的あらゆる角度や位置で被写体と等倍率のＸ線像が得られるのである。
【実施例】
【０００７】  本装置の両端にあるフィルム板の一方を撮影部位によって選択しフィルムをセットする、他方は標的板になる。この標的板の方の咬合板に照準装置をセットする。フィルム板の方の咬合板をフィルムが内側になるように歯牙の咬合面にあてる。Ｘ線フォーカスと照準用光源を結ぶ線と咬合板とを一致させ、Ｘ線フォーカスに設けられた照準用光源の光で照準装置の図形を標的板に投影し、両者の図形が一致するようにＸ線フォーカスを移動調整し撮影する。
【図面の簡単な説明】
【０００８】
【図１】歯科Ｘ線高精度撮影用フイルム保持装置の斜視図である。
【図２】歯科Ｘ線高精度撮影用フイルム保持装置の正、側面図である。
【図３】歯科Ｘ線高精度撮影用フイルム保持装置の実施例である。
【図４】歯科用Ｘ線高精度撮影装置用の照準装置の実施例である。
【符号の説明】
【０００９】１、標的板
２、フイルム板
３、咬合板
４、照準装置
５、被写体
６、照準用光源
７、Ｘ線フォーカス
【図１】
2008168087.tif 000003
【図２】
2008168087.tif 000004
【図３】
2008168087.tif 000005
【図４】
2008168087.tif 000006